(57)【要約】      （修正有）【課題】リモコン装置のリモコンコードを学習し、家電製品をパターン制御するパターンリモコン装置を提供する。【解決手段】リモコン本体１は、家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、予約パターン及びデマンド制御を実行するコントローラと、予め各製造メーカ及び家電製品を分類したＲＯＭ及びデマンド設定値を記憶したデータベースと、電気を供給する電源ユニットとからなる。【選択図】図１
0003169628.tif 000002
【実用新案登録請求の範囲】
【請求項１】
家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、予約パターン及びデマンド制御を実行するコントローラと、予め各製造メーカ及び家電製品を分類したＲＯＭ及びデマンド設定値を記憶したデータベースと、電気を供給する電源ユニットとを備えていることを特徴とするパターンリモコン装置。
【請求項２】
前記コントローラは、家電製品のリモコン装置からリモコンコードを学習するリモコン学習機能、各シーンを想定した時間設定及び温度設定を行う予約パターン機能、並びに３０分間をエアコンの台数での除数を求めて、１台当りの停止時間を計算し、順番にエアコンを停止時間だけ停止させる繰返し制御を行うデマンド制御機能を備えていることを特徴とする請求項１記載のパターンリモコン装置。
【考案の詳細な説明】
【技術分野】
【０００１】
本考案は、リモコン装置のリモコンコードを学習し、家電製品をパターン制御するパターンリモコン装置に関するものである。
【背景技術】
【０００２】
従来、家電製品、特にエアコンなどの空調機器、テレビ、ＤＶＤなどの映像機器、ステレオなどの音響機器は遠くから作動制御ができるようにリモートコントロール装置により操作できるようになっている。
このリモートコントロール装置は、通称「リモコン装置」又は「リモコン」と呼ばれており、遠くからリモコン装置の赤外線信号を前記家電製品の赤外線受光部で受信することにより制御が可能となっているものである。
異なる複数のリモコン装置の機能を一つのリモコン装置で操作できるように予め各製造メーカ及び家電製品を分類し、それぞれのリモコン装置の送信コードのデータをＲＯＭに記憶し、ユーザが使用する家電製品の製造メーカを選択することで一つのリモコン装置で複数の家電製品を操作可能とする技術が知られている。
また、複数の家電製品を統括して遠隔操作できる汎用リモコン装置として学習リモコンがある。この学習リモコンは予め家電製品の製造メーカが分類されている他に、家電製品のリモコン装置の送光部を学習リモコンの受光部に当接して家電製品のリモコン装置のキーを順次操作してゆくことにより、前記学習リモコンの受光部で受信された赤外線信号のコードをメモリに記憶させる学習機能を有しているものである。
【０００３】
このほかに、利用者が学習元の赤外線リモートコントロール装置を通常操作するだけで当該赤外線リモートコントロール装置のコードを学習して使い勝手の良い赤外線リモートコントロール装置及び赤外線リモートコントロール方法が知られている（特許文献１を参照）。
この公知技術は、家電製品又は電気機器としてのテレビジョンと、該テレビジョンに付属されたテレビジョン専用の赤外線リモコン装置と、この赤外線リモコン装置の赤外線コードを自動的に学習する自動学習リモコン装置とを有しており、自動学習リモコン装置のコントローラの受光ユニットにより赤外線信号が受光されたときに、低精度信号処理回路及び高精度信号処理ユニットにより生成された信号コード識別データ及び送信コードのデータがデータベースに記憶されているか否かを確認し、これらのデータの内のいずれか一つのデータがデータベースに未記憶の場合、ユーザにこれらのデータの操作情報を問い合わせ、受付ユニットにより受け付けられた操作情報を、生成された信号コード識別データ及び／または送信コードのデータと対応つけてデータベースに登録する自動学習リモコン装置である。
【０００４】
また、電子機器のリモコン装置から送信されたリモコン信号を受信して、利用者の電子機器の使用状態を学習する機能を有し、予約機能を備えていない電子機器を含む場合であっても、複数の電子機器の各々を適切なタイミングで連動制御する機器連動制御装置が知られている（特許文献２を参照）。
この公知技術は、電子機器のリモコン装置から送信されるリモコン信号と、そのリモコン信号をトリガとして連動制御される複数の電子機器毎の連動動作及びタイマ設定とを対応つけたワンボタン連動テーブルを記憶部に記憶しておき、ワンボタン連動テーブルでトリガとなるリモコン信号として定められたリモコン信号が受信された場合に、ワンボタン連動テーブルを参照して、受信したリモコン信号に対応する連動動作について、タイマ設定が示す時刻に実行されるような連動予約情報を生成して、対応する電子機器の予約処理へ指示を出し、各電子機器が予約情報ＤＢから読み出した連動予約情報に応じたリモコン信号を生成して、対応する電子機器へ送信するものである。
【先行技術文献】
【特許文献】
【０００５】
【特許文献１】特開２００９−８１５５０号公報
【特許文献２】特開２０１１−４０９３８号公報
【考案の概要】
【考案が解決しようとする課題】
【０００６】
本考案は、リモコン装置のリモコンコードを学習し、家電製品をパターン制御するパターンリモコン装置を提供することを目的とする。
【課題を解決するための手段】
【０００７】
本考案のパターンリモコン装置は、家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、予約パターン及びデマンド制御を実行するコントローラと、予め各製造メーカ及び家電製品を分類したＲＯＭ及びデマンド設定値を記憶したデータベースと、電気を供給する電源ユニットとを備えている。
前記コントローラは、家電製品のリモコン装置からリモコンコードを学習するリモコン学習機能、各シーンを想定した時間設定及び温度設定を行う予約パターン機能、並びに３０分間をエアコンの台数での除数を求めて、１台当りの停止時間を計算し、順番にエアコンを停止時間だけ停止させる繰返し制御を行うデマンド制御機能を備えている。
【考案の効果】
【０００８】
本考案のパターンリモコン装置は、家電製品のリモコン装置からリモコンコードを学習するリモコン学習機能、各シーンを想定した時間設定及び温度設定を行う予約パターン機能、並びに３０分間をエアコンの台数での除数を求めて、１台当りの停止時間を計算し、順番にエアコンを停止時間だけ停止させる繰返し制御を行うデマンド制御機能を備えているので、きめ細かな温度制御を行うことができると共に電気代が節約できる。
【図面の簡単な説明】
【０００９】
【図１】本考案のパターンリモコン装置の正面図である。
【図２】リモコン本体の液晶画面の説明図である。
【図３】リモコン本体の内部の概略構成図である。
【図４】各パターンの液晶画面の説明図である。
【図５】ＥＣＯパターンの説明図である。
【考案を実施するための形態】
【００１０】
本考案のパターンリモコン装置の一実施例を添付図面に基づいて、以下に説明する。
図１の正面図に示すように、本考案のパターンリモコン装置の外観は、矩形のリモコン本体１と、該リモコン本体１の正面右側中央に円盤の上下左右に選択移動▲印を備えたメニューボタン／移動ボタン２と、上方部に操作ボタンとして左から時間ボタン３、モード切り替えボタン４、電源ボタン５と、下方部に操作ボタンとして左から学習ボタン６、オート／マニュアル切り替えボタン７、冷房／暖房切り替えボタン８とを備え、前記リモコン本体１の正面左側中央に液晶画面９を備えている。
【００１１】
図２の液晶画面の説明図に示すように、前記液晶画面９の初期画面には、左側に現在時刻、パターン、設定温度及び右側に予約、ＯＮ時間、ＯＦＦ時間、温度が表グラフで表示され、上側にアイコンとして順にファン、冷房、暖房、自動運転、手動運転、リモコン、乾電池がそれぞれ表示される。
【００１２】
また、前記リモコン本体１の側面には、赤外線コードを受光する図示していない受光部と、赤外線コードを発光する図示していない発光部とを備えている。
【００１３】
図３の概略構成図に示すように、前記リモコン本体１の内部は、家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、予約パターン及びデマンド制御を実行するコントローラと、予め各製造メーカ及び家電製品を分類したＲＯＭ及びデマンド設定値を記憶したデータベースと、電気を供給する電源ユニットとからなる。
【００１４】
次に、本考案のパターンリモコン装置の制御機能を添付図面に基づいて、以下に説明する。
最初に「リモコン学習機能」について説明する。
図１に示すリモコン本体１の学習ボタン６を１秒以上押し続けると図２の液晶画面９の表グラフに４つのＣＯＯＬ  ＯＮ、ＣＯＩＬ  ＯＦＦ、ＨＥＡＴ  ＯＮ、ＨＥＡＴ  ＯＦＦが表示され、リモコン学習待機モードに進入する。
メニューボタン／移動ボタン２の上下選択移動▲印を押してＣＯＯＬ  ＯＮ→ＣＯＯＬ  ＯＦＦ→ＨＥＡＴ  ＯＮ→ＨＥＡＴ  ＯＦＦの４つの中から目的のモードを選択する。
【００１５】
リモコン本体１の側面の受光部に学習するリモコンの送光部を当てて、例えば、エアコンのリモコンの送光部を当てて、リモコンをＯＮにする。
すると、図３に示す受光ユニット、コントローラを介してリモコンのリモコンモードがデータベースに記憶される。
以下、順に４つのＣＯＯＬ  ＯＮ、ＣＯＩＬ  ＯＦＦ、ＨＥＡＴ  ＯＮ、ＨＥＡＴ  ＯＦＦの全てのリモコンコードを記憶させ、モード切り替えボタン４を１秒以上押して保存する。
そして、メニューボタン／移動ボタン２の左右選択移動▲印の右側を１秒以上押してリモコン学習モードを終了する。
【００１６】
次に、「予約パターン機能」について説明する。
前記リモコン本体１の液晶画面９の表グラフに示す１〜４パターン表示に共働き夫婦、お年寄り室、園児室、職員室の暖房／冷房を設定する場合について、図４の液晶画面の説明図に基づいて説明する。
例えば、パターン１に共働き夫婦を想定したシーン登録をする場合は、モード切り替えボタン４を押してパターン１を選択する。
メニューボタン／移動ボタン２の上下選択移動▲印を押して図２の液晶画面９の表グラフの予約１を選択し、時間ボタン３を１秒間押して時間設定モードに進入する。
メニューボタン／移動ボタン２の左右選択移動▲印を押してＯＮ時間、ＯＦＦ時間を選択し、メニューボタン／移動ボタン２の上下選択移動▲印を押して時間設定する。
そして、メニューボタン／移動ボタン２の中央の押しボタンを押して設定値を保存して、時間設定モードを終了する。
さらに、メニューボタン／移動ボタン２の中央の押しボタンを１秒間押して温度設定モードに進入し、温度設定項目の数字が点滅するのでメニューボタン／移動ボタン２の上下選択移動▲印を押して温度設定する。
そして、メニューボタン／移動ボタン２の中央の押しボタンを１秒間押して設定値を保存して、温度設定モードを終了する。
このようにして、前記液晶画面９の予約１、ＯＮ時間、ＯＦＦ時間、温度を完了する。
引き続き、予約２〜５を選択し、同様にして時間設定及び温度設定を行う。
【００１７】
お年寄り室の場合は、モード切り替えボタン４を押してパターン２を選択する。そして、前記液晶画面９の予約１、ＯＮ時間、ＯＦＦ時間、温度に予約設定を行い、引き続き予約２〜５を選択し、同様にして時間設定及び温度設定を行う。
【００１８】
園児室は、モード切り替えボタン４を押してパターン３を選択する。そして、前記液晶画面９の予約１、ＯＮ時間、ＯＦＦ時間、温度に予約設定を行い、引き続き予約２〜５を選択し、同様にして時間設定及び温度設定を行う。
【００１９】
職員室は、モード切り替えボタン４を押してパターン４を選択する。そして、前記液晶画面９の予約１、ＯＮ時間、ＯＦＦ時間、温度に予約設定を行い、引き続き予約２〜５を選択し、同様にして時間設定及び温度設定を行う。
【００２０】
最後に、「デマンド制御機能」について説明する。
広い空間の居室に多数のエアコンを設置した場合に、電力消費を抑えるために１台エアコンを停止させると冷暖房にムラが生じることになる。そこで省エネとなるようにエアコンを１台停止させたい場合に契約電力の決定方法に従い３０分間のデマンド値（最大需要電力）を設定して、エアコンの作動を制限するＥＣＯ設定モードを備えている。
前記ＥＣＯ設定モードは、３０分間をエアコンの台数での除数を求めて、１台当りの停止時間を計算し、順番にエアコンを停止時間だけ停止させる繰返し制御を行うものである。
したがって、エアコンは総台数−１台停止＝稼働台数となり、電力消費を抑え、省エネとなる。
【００２１】
図１に示すリモコン本体１のオート／マニュアル切り替えボタン７を１秒以上押し続けると図２の液晶画面９の表グラフに４つのＥＣＯ  ＯＦＦ、ＥＣＯ−１、ＥＣＯ−２、ＥＣＯ−３が表示され、ＥＣＯ設定モードに進入する。
メニューボタン／移動ボタン２の上下選択移動▲印を押してＥＣＯ  ＯＦＦ、ＥＣＯ−１、ＥＣＯ−２、ＨＥＣＯ−３の４つの中から目的のモードを選択する。
メニューボタン／移動ボタン２の左右選択移動▲印を押して図５に示すようなＥＣＯ−１（６台のＡ〜Ｆ場合）、ＥＣＯ−２（５台のＡ〜Ｅ場合）などのＥＣＯパターンを選択／設定し、メニューボタン／移動ボタン２の中央の押しボタンを１秒間押して設定値を保存して、ＥＣＯ設定モードを終了する。
【００２２】
本考案のパターンリモコン装置の操作動作を添付図面に基づいて、以下に説明する。
図１に示すリモコン本体１の電源ボタン５を押して電源をＯＮにし、モード切り替えボタン４を押して各パターン１〜４の共働き夫婦、お年寄り室、園児室、職員室の暖房／冷房の一つを選択する。
オート／マニュアル切り替えボタン７を押してオートを選択すると、エアコンは選択されたパターンに基づいて予約１〜５のＯＮ時間、ＯＦＦ時間、温度に従って冷暖房制御を行う。
また、前記オート／マニュアル切り替えボタン７を押してオートを選択すると、図５に示すようなＥＣＯパターンに従って稼働台数が制限される。
前記オート／マニュアル切り替えボタン７を押してマニュアルを選択すると、冷房／暖房切り替えボタン８により冷房／暖房を選択して通常の空調運転が行われる。
【符号の説明】
【００２３】
１  リモコン本体
２  メニューボタン／移動ボタン
３  時間ボタン
４  モード切り替えボタン
５  電源ボタン
６  学習ボタン
７  オート／マニュアル切り替えボタン
８  冷房／暖房切り替えボタン
９  液晶画面
【図１】
0003169628.tif 000003
【図２】
0003169628.tif 000004
【図３】
0003169628.tif 000005
【図４】
0003169628.tif 000006
【図５】
0003169628.tif 000007
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、前記受光ユニットからの赤外線コード信号を受信すると共に前記発光ユニットへ赤外線コード信号を送信し、かつ前記操作ボタン／予約ユニットからの入力信号を受信すると共に前記液晶ユニットへ出力信号を送信し、予約パターン及びデマンド制御を実行するコントローラと、予め各製造メーカ及び家電製品を分類したＲＯＭ及びデマンド設定値を記憶したデータを前記コントローラへ送信／受信するデータベースと、電気を供給する電源ユニットとを備えていることを特徴とするパターンリモコン装置。
【請求項２】
前記コントローラは、家電製品のリモコン装置からリモコンコードを学習するリモコン学習機能、各シーンを想定した時間設定及び温度設定を行う予約パターン機能、並びに３０分間をエアコンの台数での除数を求めて、１台当りの停止時間を計算し、順番にエアコンを停止時間だけ停止させる繰返し制御を行うデマンド制御機能を備えていることを特徴とする請求項１記載のパターンリモコン装置。
【手続補正２】
【補正対象書類名】明細書
【補正対象項目名】０００７
【補正方法】変更
【補正の内容】
【０００７】
本考案のパターンリモコン装置は、家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、前記受光ユニットからの赤外線コード信号を受信すると共に前記発光ユニットへ赤外線コード信号を送信し、かつ前記操作ボタン／予約ユニットからの入力信号を受信すると共に前記液晶ユニットへ出力信号を送信し、予約パターン及びデマンド制御を実行するコントローラと、予め各製造メーカ及び家電製品を分類したＲＯＭ及びデマンド設定値を記憶したデータを前記コントローラへ送信／受信するデータベースと、電気を供給する電源ユニットとを備えているものである。
前記コントローラは、家電製品のリモコン装置からリモコンコードを学習するリモコン学習機能、各シーンを想定した時間設定及び温度設定を行う予約パターン機能、並びに３０分間をエアコンの台数での除数を求めて、１台当りの停止時間を計算し、順番にエアコンを停止時間だけ停止させる繰返し制御を行うデマンド制御機能を備えている。
【手続補正３】
【補正対象書類名】明細書
【補正対象項目名】００１３
【補正方法】変更
【補正の内容】
【００１３】
図３の概略構成図に示すように、前記リモコン本体１の内部は、家電製品の付属リモコン装置からの赤外線コード信号を受光する受光ユニットと、家電製品へ赤外線コード信号を発光する発光ユニットと、家電製品の時間帯毎の設定温度及びシーン登録を行う操作ボタン／予約ユニットと、液晶画面を表示する液晶ユニットと、前記受光ユニットからの赤外線コード信号を受信すると共に前記発光ユニットへ赤外線コード信号を送信し、かつ前記操作ボタン／予約ユニットからの入力信号を受信すると共に前記液晶ユニットへ出力信号を送信し、予約パターン及びデマンド制御を実行するコントローラと、予め各製造メーカ及び家電製品を分類したＲＯＭ及びデマンド設定値を記憶したデータを前記コントローラへ送信／受信するデータベースと、電気を供給する電源ユニットとからなる。